(57)【要約】【課題】簡単な構成で効率的に水の入れ替え作業を行うことができる水槽を提供する。【解決手段】水槽１，１０は、水が満たされ、水棲生物が飼育される飼育容器２，２０と、前記飼育容器２，２０とは別体で形成され、前記飼育容器２，２０に隣接して配置される受水容器３，３０と、を備え、前記飼育容器２，２０には、容器内の水を前記受水容器３，３０に流入させるための通水口２２，２２０が設けられ、前記飼育容器２，２０の水位が所定水位Ｘを超過すると、前記飼育容器２，２０内の水が前記通水口２２，２２０を介して前記受水容器３，３０に流入する。【選択図】図３
2014090690.tif 000002
【特許請求の範囲】
【請求項１】
水が満たされ、水棲生物が飼育される飼育容器と、
前記飼育容器とは別体で形成され、前記飼育容器に隣接して配置される受水容器と、
を備え、
前記飼育容器には、容器内の水を前記受水容器に流入させるための通水口が設けられ、
前記飼育容器の水位が所定水位を超過すると、前記飼育容器内の水が前記通水口を介して前記受水容器に流入することを特徴とする水槽。
【請求項２】
前記通水口は、複数の貫通部が形成されてなることを特徴とする請求項１に記載の水槽。
【請求項３】
前記飼育容器は、前記通水口から流出する水を前記受水容器に案内するための案内部を設けることを特徴とする請求項１または２に記載の水槽。
【請求項４】
前記飼育容器および前記受水容器は、底部カバーによって固定配置されることを特徴とする請求項１〜３のいずれかに記載の水槽。
【請求項５】
前記底部カバーには、発光部が設けられることを特徴とする請求項４に記載の水槽。
【請求項６】
前記受水容器の内側で掛合可能に形成され、且つ前記飼育容器に注入する水の貯留を可能とする貯水容器を有することを特徴とする請求項１〜５のいずれかに記載の水槽。
【請求項７】
前記飼育容器と前記受水容器の隣接面の間に、保護板が設けられることを特徴とする請求項１〜６のいずれかに記載の水槽。
【発明の詳細な説明】
【技術分野】
【０００１】
本発明は、観賞魚などの水棲生物を飼育するための水槽に関する。
【背景技術】
【０００２】
従来、観賞魚などの水棲生物を飼育している水槽では、例えば、水槽内の水質の悪化を防止するため、電動式や手動式の排水ポンプなどを用いて水槽内の水を抜き出し、新たに汲んだ水を水槽に注入することで水の入れ替えが行われている。
【発明の概要】
【発明が解決しようとする課題】
【０００３】
しかしながら、電動式や手動式の排水ポンプなどを用いた水の入れ替え作業では、当該排水ポンプなどで水槽の水を抜き出さなければ、水槽に新たな水を注入することができず、水の入れ替え作業に時間がかかり、非常に手間であった。
【課題を解決するための手段】
【０００４】
本発明は、上述した技術背景に鑑み、簡単な構成で効率的に水の入れ替え作業を行うことができる水槽の提供を目的とする。
【０００５】
即ち、本発明は下記［１］〜［７］に記載の構成を有する。
【０００６】
［１］  水が満たされ、水棲生物が飼育される飼育容器と、
前記飼育容器とは別体で形成され、前記飼育容器に隣接して配置される受水容器と、
を備え、
前記飼育容器には、容器内の水を前記受水容器に流入させるための通水口が設けられ、
前記飼育容器の水位が所定水位を超過すると、前記飼育容器内の水が前記通水口を介して前記受水容器に流入することを特徴とする水槽。
【０００７】
［２］  前記通水口は、複数の貫通部が形成されてなることを特徴とする前項１に記載の水槽。
【０００８】
［３］  前記飼育容器は、前記通水口から流出する水を前記受水容器に案内するための案内部を設けることを特徴とする前項１または２に記載の水槽。
【０００９】
［４］  前記飼育容器および前記受水容器は、底部カバーによって固定配置されることを特徴とする前項１〜３のいずれかに記載の水槽。
【００１０】
［５］  前記底部カバーには、発光部が設けられることを特徴とする前項４に記載の水槽。
【００１１】
［６］  前記受水容器の内側で掛合可能に形成され、且つ前記飼育容器に注入する水の貯留を可能とする貯水容器を有することを特徴とする前項１〜５のいずれかに記載の水槽。
【００１２】
［７］  前記飼育容器と前記受水容器の隣接面の間に、保護板が設けられることを特徴とする前項１〜６のいずれかに記載の水槽。
【発明の効果】
【００１３】
上記［１］に記載の発明によれば、水が満たされ、水棲生物が飼育される飼育容器と、飼育容器とは別体で形成され、飼育容器に隣接して配置される受水容器と、を備え、飼育容器には、容器内の水を前記受水容器に流入させるための通水口が設けられ、飼育容器の水位が所定水位を超過すると、飼育容器内の水が前記通水口を介して受水容器に流入するので、飼育容器に新たに水を注入すると同時に、飼育容器の水が受水容器に流入して水の入れ替えがなされるため、従来の水の入れ替え作業と比較して作業時間が大幅に短縮される。
【００１４】
また、飼育容器と受水容器が別体で形成されているので、必要量の水を飼育容器に注入した後に受水容器を取り外して溜まった水を廃棄するだけでよく、作業の手間がかかることもなく、非常に容易である。
【００１５】
更に、少なくとも通水口を有する飼育容器と受水容器とを備えるだけの簡単な構成であるため安価である。
【００１６】
上記［２］に記載の発明によれば、通水口は、複数の貫通部が形成されてなるので、貫通部の寸法よりも小さい寸法の水棲生物であれば、飼育容器内の水棲生物が飼育容器から受水容器に流れ込む水に流される虞がなくなる。
【００１７】
上記［３］に記載の発明によれば、飼育容器は、通水口から流出する水を受水容器に案内するための案内部を設けるので、飼育容器から流出する水が容器外部にこぼれるなどすることなく、スムーズに受水容器に流入される。
【００１８】
上記［４］に記載の発明によれば、飼育容器および受水容器は、底部カバーによって固定配置されるので、飼育容器および受水容器を安定的に配置することができる。
【００１９】
上記［５］に記載の発明によれば、底部カバーに発光部が設けられるので、例えば、暗がりに水槽が配置されている場合であっても、発光部を発光させて作業を行うことができ、利便性が向上する。
【００２０】
また、デザイン性の追求や水槽内の植物の成長を促すなどのために電飾を取り付けて楽しむことが出来る。
【００２１】
上記［６］に記載の発明によれば、受水容器の内側で掛合可能に形成され、且つ飼育容器に注入する水の貯留を可能とする貯水容器を有するので、受水容器内部に収納することができる上に場所を取ることもなく、予め水が貯留された貯水容器を水槽と共に据え付けておくことができるので使い勝手がよい。
【００２２】
また、例えば、予め水道水が貯留された貯水容器を受水容器に掛合状態に取り付けてカルキ抜きなどを行うことができる。
【００２３】
上記［７］に記載の発明によれば、飼育容器と受水容器の隣接面の間に、保護板が設けられるので、例えば、非透明色などの保護板を用いて、飼育容器の背面に設けられた受水容器が見えないように目隠しする、或いは、保護板の色彩や模様を変化させて水槽の美観を楽しむことが出来る。
【図面の簡単な説明】
【００２４】
【図１】本発明に係る水槽の構成例を示す斜視図である。
【図２】本発明に係る水槽を説明するための斜視図である。
【図３】本発明に係る水槽の飼育容器及び受水容器を説明するための斜視図である。
【図４】本発明に係る水槽の通水口及び案内部を示す説明図である。
【図５】本発明に係る水槽のＹ−Ｙにおける断面図である。
【図６】本発明の別実施形態に係る水槽の構成例を示す斜視図である。
【図７】本発明の別実施形態に係る水槽を説明するための斜視図である。
【発明を実施するための形態】
【００２５】
以下、図面を参照して、本発明の実施形態について説明する。
【００２６】
図１は、水槽１の構成例を示す斜視図、図２は、水槽１を説明するための斜視図、図３は、水槽１の飼育容器２及び受水容器３を説明するための斜視図、図４は、水槽１の通水口２２及び案内部２３を示す説明図、図５は、水槽１のＹ−Ｙにおける断面図、図６は、別実施形態に係る水槽１０の構成例を示す斜視図、図７は、別実施形態に係る水槽１０を説明するための斜視図である。
【００２７】
図１〜７に示す水槽１，１０は、観賞魚などの水棲生物を飼育するための水槽１，１０である。
【００２８】
本願発明の水槽１，１０は、少なくともそれぞれ別体で形成された飼育容器２，２０及び受水容器３，３０を備え、それぞれが組み合わされて使用されるものである。
【００２９】
以降では説明の便宜上、鑑賞される側の面を「前面」、その対面側を「背面」と定義する。
【００３０】
図１〜５に基づいて、以降説明する一実施例としての円柱形状の水槽１は、飼育容器２及び受水容器３に加え、貯水容器４、底部カバー５及び上部カバー６を備え、それぞれが組み合わされて使用される。
【００３１】
飼育容器２は、水棲生物を飼育するための容器であり、例えば、透明のガラスや合成樹脂などの素材が用いられ、略半円筒状に形成されている。
【００３２】
飼育容器２は、その上部が開口しており、曲面側を前面として、水が満たされた状態で水棲生物の鑑賞などがなされる。
【００３３】
飼育容器２の背面側には平面状の壁２１が設けられており、壁２１には、略半円筒状に形成された後述する受水容器３の平面状の壁３１が隣接して配置される。
【００３４】
飼育容器２及び受水容器３は、組み合わされた状態で略円筒状の水槽１となる。
【００３５】
飼育容器２には、容器内の水を受水容器３に流入させるための通水口２２が設けられている。
【００３６】
通水口２２は、飼育容器２の壁２１の上部に設けられ、飼育容器２の水位が所定水位を超過すると、飼育容器２内の水が通水口２２を介して受水容器３に流入するように構成されている。
【００３７】
本実施形態における通水口２２は、壁２１を貫通する孔である貫通部２２ａが複数設けられてなり、当該貫通部２２ａの孔の径は、例えば、約０．６ｍｍに形成されている。
【００３８】
通水口２２は、その最下端部が、飼育容器２を形成する全ての壁の上端部の高さ位置よりも低い位置に形成されている。
【００３９】
通水口２２の最下端部とは、図４，５に基づいて説明すると、３段に並んだうち最下段の貫通部２２ａの下端部を示す。
【００４０】
例えば、通水口２２の最下端部が、飼育容器２の壁２１の上端から１５ｍｍ低い位置に配置されている場合、飼育容器２に満たすことが出来る最大水位を意味する最大許容水位は、通水口２２のある壁２１の上端から１５ｍｍ低い通水口２２の最下端部までの位置、即ち、飼育容器２の底面から通水口２２の最下端部までの位置である高さ位置Ｘまでとなる。
【００４１】
飼育容器２に水が注入されることによって、飼育容器２の水位が、所定水位、即ち、最大許容水位Ｘを超過すると、飼育容器２の水が、最大許容水位Ｘを超過した分だけ通水口２２を介して受水容器３に流入するようになっている。
【００４２】
上述したように、通水口２２が飼育容器２の受水容器３に隣接する壁２１の上部に設けられ、通水口２２の最下端部が飼育容器２の上端部の高さ位置よりも低い位置に設けられることにより、飼育容器２の壁２１上部に設けられた通水口２２の下端部の高さ位置Ｘを超過するまで水が注入されると、飼育容器２の水が容器から溢れて受水容器３に流入して、容易に水の入れ替え作業を行うことができる。
【００４３】
また、通水口２２に複数の貫通部２２ａが形成されてなることで、貫通部２２ａの寸法よりも小さい寸法の水棲生物であれば、飼育容器２内の水棲生物が飼育容器２から受水容器３に流れ込む水に流される虞がなくなるので、通水口２２は、小さい寸法の貫通部２２ａが複数形成されてなることが好ましい。
【００４４】
飼育容器２は、更に通水口２２から流出する水を受水容器３に案内するための案内部２３を設けている。
【００４５】
案内部２３は、飼育容器２の通水口２２が設けられた壁２１の外面側に突出して設けられた案内底板２３ｂ及び一対の案内側板２３ａ，２３ｃとからなる。
【００４６】
案内底板２３ｂ及び一対の案内側板２３ａ，２３ｃは、飼育容器２の壁２１の外面側に垂直なコ字状に設けられている。
【００４７】
飼育容器２から溢れた水は、一対の案内側板２３ａ，２３ｃの間で案内底板２３ｂ上を流れ、隣接する受水容器３に流入する。
【００４８】
このように、通水口２２から流出する水を受水容器３に案内するための案内部２３を飼育容器２に設けることにより、飼育容器２から流出する水が、飼育容器２や受水容器３の外部にこぼれるなどすることなく、スムーズに受水容器３に流入される。
【００４９】
尚、案内部２３の案内底板２３ｂは、飼育容器２の壁２１の外面側から垂直に設けられるように説明したが、飼育容器２の底部に向かって下方に傾斜するように設けられるのであってもよく、案内底板２３ｂが飼育容器２の底部に向かって下方に傾斜するように設けられることにより、よりスムーズに受水容器３へ水が流れるようになる。
【００５０】
受水容器３は、上部が開口した略半円柱状に形成されており、飼育容器２及び受水容器の各平面状の壁面２１，３１が合わせられて、水槽１が組み立てられる。
【００５１】
図１，５からわかるように、受水容器３は、例えば、飼育容器２と同等の高さ寸法で飼育容器２よりも小さい寸法に設定されている。
【００５２】
受水容器３の壁３１の上部には、飼育容器２の案内部２３の外周形状に合わせて切り欠いた切欠部３２が設けられている。
【００５３】
切欠部３２は、下方に凹んだコ字状に形成され、コ字状の案内部２３が切欠部３２の当該凹みに係合される。
【００５４】
水槽１を組み立てる際には、受水容器３側に突出する案内部２３を当該切欠部３２に嵌め込み、案内部２３の先端が受水容器３の内部に位置するように、飼育容器２及び受水容器３の両壁面２１，３１を合わせた状態で組み立てられる。
【００５５】
飼育容器２内における水棲生物を飼育するための水を一度に全て入れ替えると、飼育している水棲生物に悪影響を与えることから、受水容器３は、飼育容器２に入る最大の水量の１／３〜半分程度の水が入る寸法に設定されることが好ましいが、これに限定されるものではなく、適宜設定されるのであってもよい。
【００５６】
水槽１は、受水容器３の内側に掛合可能に形成され、且つ飼育容器２に注入する水の貯留を可能とする貯水容器４を有する。
【００５７】
貯水容器４は、受水容器３内部に収まるような、受水容器３よりもやや小さい寸法の略半円柱形状に形成されている。
【００５８】
貯水容器４の上部も開口した形状となっており、貯水容器４の上端部には、受水容器３の上端縁に掛合する掛合部４３が設けられている。
【００５９】
掛合部４３は、貯水容器４が受水容器３の内側に収められ、受水容器３の上端縁に掛合された状態で受水容器３の外周から突出しないように、掛合部４３の外周寸法が受水容器３の外周と同等或いは略同等の寸法となるように形成されている。
【００６０】
このように構成されることで、貯水容器４を受水容器３内に収めた場合であっても、貯水容器４の掛合部４３が受水容器３の上端縁に掛合されるので、貯水容器４が受水容器３の内部に完全に嵌まり込むことがなく、取り出しやすい。
【００６１】
貯水容器４の壁４１の上部には、受水容器３と同様、飼育容器２の案内部２３の外周形状に合わせて切り欠いて、下方に凹んだコ字状の切欠部４２が設けられている。
【００６２】
貯水容器４が受水容器３に取り付けられる際には、受水容器３の際と同様に、受水容器３側に突出する案内部２３を当該切欠部４２に嵌め込んで取り付ける。
【００６３】
貯水容器４が、受水容器３の内側で掛合可能に形成され、且つ飼育容器２に注入する水の貯留が可能であるので、受水容器３内部に収納することができる上に場所を取ることもなく、予め水が貯留された貯水容器４を水槽１と共に据え付けておくことができるので使い勝手がよい。
【００６４】
また、例えば、予め水道水が貯留された貯水容器４を受水容器３に掛合状態に取り付けてカルキ抜きなどを行うことができる。
【００６５】
底部カバー５は、ベース部５１と、ベース部５１上部を覆うよう取り付けられるベースカバー５２との２重構造で構成され、平面視で、飼育容器２及び受水容器３を組み合わせた際の底部の形状と略等しい形状に形成されている。
【００６６】
ベースカバー５２は、飼育容器２及び受水容器３が組み合わされた状態で、両容器２，３の底部に設けられた段部２４，３４が嵌め込まれ、飼育容器２及び受水容器３を固定配置させる。
【００６７】
透明素材からなる飼育容器２は、その底部からベースカバー５２が視認できるように構成されている。
【００６８】
ベースカバー５２が嵌め込まれたベース部５１は、内部が中空になっており、例えば、その内部にＬＥＤなどの光源を有する発光部５３が設けられる。
【００６９】
ベース部５１内部に光源や電源装置などを有した発光部５３が備えられ、ベースカバー５２に設けられた発光窓５３１を通して、発光部５３の発光が飼育容器２の底部から視認される。
【００７０】
上述したように、飼育容器２および受水容器３が底部カバー５によって固定配置されることによって、飼育容器２および受水容器３を安定的に配置することができる。
【００７１】
また、底部カバー５に発光部５３が設けられることによって、例えば、暗がりに水槽１が配置されている場合であっても、発光部５３を発光させて作業を行うことができ、利便性が向上する。
【００７２】
更に、デザイン性の追求や水槽１内の植物の成長を促すなどのために電飾を取り付けて楽しむことが出来る。
【００７３】
水槽１には、飼育容器２及び受水容器３の上部を覆う上部カバー６が設けられている。
【００７４】
上部カバー６は、飼育容器２及び受水容器３を組み合わせた断面形状の面を有する円筒形状に形成され、当該面は、飼育容器２及び受水容器３を組み合わせた断面形状よりもやや大きい寸法となっている。
【００７５】
上部カバー６は、飼育容器２及び受水容器３内へのゴミなどの異物の混入を防止するために、組み合わせた状態の飼育容器２及び受水容器３の上部に被せられる。
【００７６】
当該上部カバー６が被せられた状態では、飼育容器２の通水口２２及び案内部２３が水槽１外部から見えない或いは見え難い状態になっている。
【００７７】
(第２実施形態)
続いて、図６，７に示すような、四角形の水槽１０に通水口２２０が設けられた第２実施形態に係る水槽１０について説明する。
【００７８】
本実施形態に係る水槽１０は、上述した実施形態の水槽１とは形状が異なるだけでなく、上部カバー６が設けられていない構成であるのに加えて、飼育容器２０に設けられる通水口２２０及び底部カバー５０の構成が異なっている。
【００７９】
本実施形態に係る水槽１０は、上部が開口した略四角形の形状に形成された飼育容器２０及び受水容器３０が底部カバー５０上に隣接して組み立てられ、四角形の水槽１０を形成している。
【００８０】
底部カバー５０は、平板に凹部が設けられ、飼育容器２０及び受水容器３０は、当該凹部に嵌め込まれて固定配置される。
【００８１】
本実施形態の通水口２２０は、受水容器３０に隣接する壁を切り欠いて形成されており、図示するように、受水容器３０に隣接する壁の上部の一部が、下方に凹んだコ字状に形成されている。
【００８２】
通水口２２０の下端部及び両端部からは、案内底板２３０ｂ及び一対の案内側板２３０ａ，２３０ｃが壁２１０の外側面から外方に突出するように設けられて案内部２３０が形成されている。
【００８３】
案内底板２３０ｂ及び一対の案内側板２３０ａ，２３０ｃは、上述した実施形態と同様、飼育容器２０の壁２１０の外側面に垂直なコ字状に設けられている。
【００８４】
受水容器３０の壁３１０の上部には、飼育容器２０の案内部２３０の外周形状に合わせて切り欠いた、下方に凹んだコ字状の切欠部３２０が設けられている。
【００８５】
貯水容器４０は、上述した実施形態と同様、受水容器３０よりもやや小さい寸法に形成され、その上端部には、受水容器３０の上端縁に掛合する掛合部４３０が設けられている。
【００８６】
また、受水容器３０と同様に、貯水容器４０の壁４１０の上部には、飼育容器２の案内部２３の外周形状に合わせて切り欠いて、下方に凹んだコ字状の切欠部４２０が設けられる。
【００８７】
本実施形態では、飼育容器２０と受水容器３０が隣接する壁面２１０，３１０の間に設けられる保護板７０を備える。
【００８８】
保護板７０は、飼育容器２や受水容器３などと同様に合成樹脂などの素材が用いられ、板状に形成される。
【００８９】
尚、保護板７０の素材には、有色の素材が用いられるのであってもよい。
【００９０】
保護板７０にも、受水容器３０及び貯水容器４０と同様に、飼育容器２０の案内部２３０の外周形状に合わせて切り欠いて、下方に凹んだコ字状の切欠部７２０が設けられている。
【００９１】
保護板７０は、受水容器３０に隣接する壁の上端縁に掛止する掛止部７１０を備え、掛止部７１０によって飼育容器２０の壁２１０に掛止された状態で、飼育容器２０の壁２１０と受水容器３０の壁３１０に挟まれるように設けられる。
【００９２】
掛止部７１０は、例えば、保護板７０の上端部がＬ字状に形成され、保護板７０から垂直に突出した部位が、飼育容器２０の通水口２２０を避けた上端縁に掛止される。
【００９３】
当該保護板７０は、保護板７０側に突出する案内部２３０を切欠部７２０に嵌め込んで、飼育容器２０に取り付けられる。
【００９４】
飼育容器２０と受水容器３０の隣接面の間に、保護板７０が設けられることによって、例えば、非透明色などの保護板７０を用いて、飼育容器２０の背面に設けられた受水容器３の目隠しとする、或いは、保護板７０の色彩や模様を変化させて水槽１０の美観を楽しむことが出来る。
【００９５】
尚、保護板７０は、第１実施形態に係る水槽１に設けられるのであってもよく、飼育容器２及び受水容器３の間に設けられるように構成されるのであればよく、水槽の形状などによって限定されるものではない。
【００９６】
また、第１実施形態及び第２実施形態で通水口２２，２２０の構成が異なるが、第１実施形態に係る水槽１に切欠部を設けた通水口２２０が設けられる、或いは第２実施形態に係る水槽１０に貫通部２２ａを設けた通水口２２が設けられるのであってもよく、少なくとも飼育容器２，２０内の水が受水容器３，３０に流入するような通水口２２，２２０が備えられた水槽であればよい。
【００９７】
更に、上述した通水口２２，２２０は、何れも飼育容器２，２０の壁面２１，２１０上部の中央部付近に１箇所形成されているが、これに限定されるものではなく、壁２１，２１０上部に複数個所に設けられるのであってもよいし、壁２１，２１０上部の幅方向全体に設けられるのであってもよく、少なくとも飼育容器２，２０の壁２１，２１０上部に設けられるのであればよい。
【００９８】
貫通部２２ａが形成されて通水口２２となる場合は、貫通部２２ａの寸法が小さいほど水槽１における飼育可能な水棲生物の適用範囲が広がり好ましいが、飼育容器２の水が受水容器３側へ通過するに適した寸法であって、稚魚などの小さい魚であっても飼育容器２から溢れた水で受水容器３側へ流されることがない寸法に設定されることが最も好ましい。
【００９９】
また、飼育対象に応じて水槽１が製造される場合などには、水棲生物の大きさなどによって通水口２２の貫通部２２ａの寸法が決定されるのであってもよい。
【０１００】
尚、貫通部２２ａは、飼育容器２の水が受水容器３に流入するフィルターの効果を有している構成であればよく、例えば、飼育容器２の壁２１の上部に櫛状の貫通部が形成されているのであってもよいし、フィルター部材などが取り付けられた構成であってもよい。
【０１０１】
上述では、飼育容器２の壁面２１と受水容器３の壁面３１とが隣接する、或いは飼育容器２０の壁面２１０と受水容器３０の壁面３１０とが保護板７０を介して隣接するように説明したが、隣接する壁面２１，２１０，３１，３１０は曲面であってもよく、少なくとも、飼育容器２，２０側の壁２１，２１０上部に通水口２２，２２０が設けられ、飼育容器２，２０内の最大許容水位を超過して流出した水が、通水口２２，２２０を介して受水容器３，３０に流入可能に構成される壁２１，２１０であれば、その形状は特に限定されるものではない。
【０１０２】
上述の第１実施形態及び第２実施形態では、飼育容器２，２０及び受水容器３，３０に加え、貯水容器４、４０、底部カバー５，５０及び上部カバー６などを備えた水槽１，１０として説明したが、本願発明は少なくともそれぞれ別体で形成された飼育容器２，２０及び受水容器３，３０を備えて構成されていればよい。
【０１０３】
以上説明したように、本願発明の水槽１，１０は、水が満たされ、水棲生物が飼育される飼育容器２，２０と、前記飼育容器２，２０とは別体で形成され、前記飼育容器２，２０に隣接して配置される受水容器３，３０と、を備え、前記飼育容器２，２０には、容器内の水を前記受水容器３，３０に流入させるための通水口２２，２２０が設けられ、前記飼育容器２，２０の水位が所定水位Ｘを超過すると、前記飼育容器２，２０内の水が、前記通水口２２，２２０を介して前記受水容器３，３０に流入するように構成されているので、飼育容器２，２０に新たに水を注入すると同時に、飼育容器２，２０の水が受水容器３，３０に流入して水の入れ替えがなされるため、従来の水の入れ替え作業と比較して作業時間が大幅に短縮される。
【０１０４】
また、飼育容器２，２０と受水容器３，３０が別体で形成されているので、必要量の水を飼育容器２，２０に注入した後に受水容器３，３０を取り外して溜まった水を廃棄するだけでよく、作業の手間がかかることもなく、非常に容易である。
【０１０５】
更に、少なくとも通水口２２，２２０を有する飼育容器２，２０と受水容器３，３０とを備えるだけの簡単な構成であるため安価である。
【０１０６】
上述の説明中の数値については、いずれも設計事項であり、実施例に限定されるものではない。
【０１０７】
以上説明した実施形態は、本発明の一例に過ぎず、本発明の作用効果を奏する範囲において具体的構成などを適宜変更設計できることは言うまでもない。
【符号の説明】
【０１０８】
１，１０…水槽
２，２０…飼育容器
３，３０…受水容器
４，４０…貯水容器
５，５０…底部カバー
７０…保護板
２１，２１０…（飼育容器の）壁（壁面）
２２，２２０…通水口
２３，２３０…案内部
３１，３１０…（受水容器の）壁（壁面）
５３…発光部
２２ａ…貫通部
Ｘ…所定水位（最大許容水位）
【図１】
2014090690.tif 000003
【図２】
2014090690.tif 000004
【図３】
2014090690.tif 000005
【図４】
2014090690.tif 000006
【図５】
2014090690.tif 000007
【図６】
2014090690.tif 000008
【図７】
2014090690.tif 000009